(57)【要約】【課題】本発明は、空冷ファンより下流へ侵入した塵埃に対する防塵対策に関して、安価、かつ防塵効果を長く持続させることを目的とする。【解決手段】本発明の冷却装置は、冷却風を発生させる空冷ファン２、空冷ファンの通風路上流に配置され、空冷ファンの吸気を濾過する防塵フィルタ１、空冷ファンからの冷却風を冷却対象に導くダクト３とを備えて構成され、ダクト３は、その通風路面に微少な凹凸４が多数設けられていることを特徴とする。【選択図】図１
2008268626.tif 000002
【特許請求の範囲】
【請求項１】
冷却風を発生させる空冷ファンと、
前記空冷ファンの通風路上流に配置され、前記空冷ファンの吸気を濾過する防塵フィルタと、
前記空冷ファンからの前記冷却風を冷却対象に導くダクトとを備え、
前記ダクトは、その通風路面に微少な凹凸が多数設けられていることを特徴とする、冷却装置。
【請求項２】
前記ダクトは、その壁面の少なくとも一部が着脱可能な構造を有する、請求項１に記載の冷却装置。
【発明の詳細な説明】
【技術分野】
【０００１】
本発明は、主に投射型映像表示装置に利用される冷却装置に関する。
【背景技術】
【０００２】
投射型映像表示装置では、冷却装置として空冷ファンを用いる手法がしばしば用いられている。しかし、空冷ファンからの冷却風中の塵埃が冷却対象素子に吹き付けられてしまい、例えば光学素子を冷却する場合などでは、付着した塵埃が投射映像に影となって現れてしまうという問題がある。あるいは電子部品の端子間に堆積した塵埃によってトラッキングが発生し、安全上の問題が生じる恐れがある。そのため空冷ファンを用いる際には何らかの防塵対策を併用する事が一般的となっている。
【０００３】
従来からの防塵対策として、静電気によって集塵するものが、例えば特許文献１に提案されており、また空気や塵埃をマイナスイオン化して集塵する手法が、例えば特許文献２に提案されている。さらに、ダクトにアールを付けることにより遠心力を利用し、また発泡体をダクトの内壁として使用することにより、発砲体の帯電による吸着作用や、発砲体の空洞部への引っかけ作用を利用して集塵する手法が、例えば特許文献３に提案されている。
【０００４】
【特許文献１】特開２００３−１４４９７０号公報
【特許文献２】特開２００５−９５８２８号公報
【特許文献３】特開２００４−２７１６７７号公報
【発明の開示】
【発明が解決しようとする課題】
【０００５】
従来技術において、冷却ファンより下流へ侵入した塵埃に対する防塵対策の技術については件数自体が少なく、またその数少ない技術に関しても、安価、かつ防塵効果を長く持続するのは難しかった。
【０００６】
例えば、上述した特許文献１および特許文献２の発明は、いずれも空冷ファンの上流側で塵埃を取り除くという手法を用いており、空冷ファンの下流側、例えば空冷ファンとダクトの嵌合部分のような僅かな隙間から侵入した塵埃に対しては効果が無かった。また、特許文献１の静電気を利用する手法や特許文献２のマイナスイオン化する手法では、高価な部品を使用する必要があるため、大幅にコストが上昇してしまうという課題が残されていた。
【０００７】
特許文献３の発明は、空冷ファンより下流側での集塵を可能としていた点で、特許文献１および特許文献２より優位であった。また、ダクトの内壁として使用される発泡部材も比較的安価であるため、コスト面でも優位であった。しかし発泡部材自体が一般的に柔らかい部材であるため、形状維持の面に不安が残っていた。また、特許文献３の発明では、発泡部材のすぐ傍を冷却風が流れるため、経年劣化等により発泡部材が意図したものと異なる形状になった場合、冷却風の流路を変化させてしまい、当初の設計通りの冷却が困難になるという課題があった。
【０００８】
この発明はこのような課題を解決するためになされたもので、空冷ファンより下流側での集塵を可能とし、また防塵効果を長く持続する事を目的とする。
【課題を解決するための手段】
【０００９】
上記課題を解決するために、本発明の冷却装置は、冷却風を発生させる空冷ファン、空冷ファンの通風路上流に配置され、空冷ファンの吸気を濾過する防塵フィルタ、空冷ファンからの冷却風を冷却対象に導くダクトとを備えて構成され、ダクトは、その通風路面に微少な凹凸が多数設けられていることを特徴とする。
【発明の効果】
【００１０】
ダクト内に微小な凹凸を設けたことで、空冷ファンの上流側に配した防塵フィルタで濾過しきれなかった塵埃、あるいは空冷ファンとダクトの嵌合部分のような僅かな隙間から侵入した塵埃の冷却対象への付着を低減し、また防塵効果を長く持続するする事が可能となる。
【発明を実施するための最良の形態】
【００１１】
以下、この発明をその実施の形態を示す図面に基づいて具体的に説明する。
【００１２】
＜実施の形態１＞
（構成）
図１は、本実施の形態に係る冷却装置の構成を示す図である。
【００１３】
空冷ファン２の通風路上流側には、例えばスポンジを用いた防塵フィルタ１が設けられる。空冷ファン２により発生される冷却風が冷却対象に到達するまでの流路が、ダクト３によって形成されており、空冷ファン２の通風路下流側に設けられる。このダクト３は、例えばプラスチックのように長期の形状維持が可能な部材からなる。このダクト３の材質は熱伝導性の良否を問わず、上述したプラスチックのような非金属の部材により構成されても構わない。また、ダクト３の通風路面には微少な凹凸４が多数設けられている。
【００１４】
ここで、図１に示すように、ダクト３内の冷却風の流れる方向をＸ軸、防塵フィルタ１の面に平行かつ水平方向をＹ軸、防塵フィルタ１の面に平行かつ垂直方向をＺ軸とする。
【００１５】
微小な凹凸４は、ダクト３の上下左右の全ての内壁面に設けられ、それぞれの内壁面について複数の凹部、凸部から構成される。この複数の凸部は図１に示すように、Ｙ軸方向、あるいはＺ軸方向に伸びた形状がＸ軸方向に複数個並んでいる。ダクト３内壁面は微小な凹凸４を設けた凹凸部と、凹凸のない平面部からなる。あるいは微小な凹凸４を設けた凹凸部のみから形成されても良い。微小な凹凸４の凸部の高さは、凹部の底面から１０ｍｍ以下である。すなわち、凸部は高さ１０ｍｍ以下のＹＺ平面を有しており、冷却風を滑らかに後段へ流す形状ではない。
【００１６】
また、凸部の冷却風が当たる面は、冷却風に対して空気抵抗を生み出す形状ならば、必ずしも冷却風に対して垂直なＹＺ平面を持つ必要はなく、例えば上下左右の各内壁面において直径１０ｍｍ以下の円柱を複数個、ＹＺ平面上に並べて構成される凹凸でも構わない。前述のいずれの凸部形状の場合も、ダクト３を空冷ファン２側から見た場合、ダクト３内部にはロの字型に微小な凹凸４が複数列配置される。
【００１７】
（動作）
次に、動作の説明を行う。
【００１８】
空冷ファン２が吸引する空気は、特に外気、即ち装置外部の空気が吸引される場合、少なからず塵埃が含まれている。その塵埃が防塵フィルタ２によって濾過され、空冷ファン２により塵埃が低減された冷却風として、ダクト３を介して下流に存在する冷却対象へ向けて送られる。
【００１９】
空冷ファン２によって送られた冷却風はダクト３内部を進む。その際、ダクト通風路面に設けられた微小な凹凸４の凸部に衝突する。このとき冷却風中に含まれる塵埃が振るい落とされ、落とされた塵埃は微小な凹凸４の凹部に堆積、あるいは凸部に付着する。
【００２０】
この微小な凹凸４はダクト３の通風路面に設置され、且つ凹凸自体が微小である。
【００２１】
（効果）
上述のように塵埃が振るい落とされることにより、微小な凹凸４の下流側では、より一段と冷却風中の塵埃が減り、冷却対象に到達する塵埃量の低減が実現できる。
【００２２】
また、微小な凹凸４は凹凸自体が微小であり、ダクト３内を流れる冷却風の流れを大きく妨げる事は無い。よって、ダクト下流側に存在する冷却対象に到達する冷却風の風量、風速の低下を抑えることができ、冷却能力を極力維持したまま防塵効果を得ることが可能となる。
【００２３】
また、ダクトをプラスチック等で形成することで、長期間に渡って形状を維持でき、常に当初の設計通りの冷却効果を得ることができる。
【００２４】
＜実施の形態２＞
（構成）
図２は、本実施の形態に係る冷却装置の構成を示す図である。
【００２５】
実施の形態１で示した図１の冷却装置と同様に、空冷ファン２の上流側に防塵フィルタ２が設けられ、空冷ファン２の下流側にダクト３が設けられる。ダクト３の通風路面には微少な凹凸４が多数設けられている。
【００２６】
また、本実施の形態においては、ダクト３の壁面の一部がダクト着脱部５として分離することができる構成となっており、容易に着脱可能に形成されている。ダクト着脱部５がダクト３から取り外されることにより、ダクト３内壁部の凹凸部４が露出された状態となる。これにより、ダクト３を投射型映像表示装置から取り外すことなく、ダクト３内壁部の凹凸部４について清掃等の作業が可能となる。
【００２７】
（動作）
ダクト着脱部５がダクト３に設置された状態においては、実施の形態１と同様の動作が可能である。すなわち、空冷ファン２が動作した状態において、空気が吸引され、吸引された空気に含まれる塵埃が、防塵フィルタ２によって濾過される。濾過された冷却風は、ダクト３を介して下流に存在する冷却対象へ向けて送られる。また、ダクト３内を流れる冷却風は、ダクト３の通風路面に設けられた微小な凹凸４の凸部に衝突し、冷却風中に含まれる塵埃がさらに振るい落とされる。
【００２８】
（効果）
実施の形態１で示した冷却装置を用いた投射型映像表示装置において、冷却風中の塵埃は微小な凹凸４により振るい落とされ、かつダクト３内の微小な凹凸４に堆積する。この塵埃が堆積するほど、微小な凹凸４の集塵能力が落ち、冷却対象に対する防塵効果が薄れていく。そのため、定期的なダクト清掃が重要である。
【００２９】
一般的にダクト３は投射型映像表示装置の内部に配置されているため、清掃の際には装置を分解し、さらにダクト３を取り外す必要があり、非常に手間の掛かる作業となってしまう。
【００３０】
そこで本実施の形態においては、ダクト３の壁面の一部が容易に着脱可能なダクト着脱部５として分離する構造となっている。これにより、ダクト３を取り外す必要が無くなり清掃が容易になる。
【００３１】
また、投射映像表示装置の外部から、ダクト着脱部５に直接アクセス可能な構造にすれば、装置を分解することなく清掃が可能となり、投射映像表示装置稼動後のメンテナンスがより簡易化される。
【図面の簡単な説明】
【００３２】
【図１】本発明の実施の形態１に係る冷却装置を説明する図である。
【図２】本発明の実施の形態２に係る冷却装置を説明する図である。
【符号の説明】
【００３３】
１  防塵フィルタ、２  空冷ファン、３  ダクト、４  微少な凹凸、５  ダクト着脱部。
【図１】
2008268626.tif 000003
【図２】
2008268626.tif 000004